(57)【要約】  歌唱用マイクロフォン（１）は、握り部を構成するマイクロフォンハウジング（５）と、音源からの音を受ける前記マイクロフォンハウジングの前方部分の音響電気変換器（７）と、該音響電気変換器（７）からの音を表す信号を当該マイクロフォン（１）から外部音響信号処理装置に転送する装置（２，１４，１５）とを具備する。ハウジング（５）内または上に信号プロセッサ装置（９）が配置されている。信号プロセッサ装置（９）が周波数／音声変調器、Ａ／Ｄ変換器、電子回路、および、音響信号に対する処理アルゴリズムを記憶する記憶回路の形の音響信号処理装置を有する。信号プロセッサ装置（９）は制御信号処理装置を有する。
2005513977.tif 000002
【特許請求の範囲】
【請求項１】
握り部を構成するマイクロフォンハウジングと、音源からの音を受ける前記マイクロフォンハウジングの前方部分の音響電気変換器と、該音響電気変換器からの音を表す信号（音響信号）を当該マイクロフォンから外部音響信号処理装置に転送する装置とを具備する歌唱用マイクロフォンにおいて、前記マイクロフォンハウジング内または上に信号プロセッサ装置が配置されていることを特徴とする歌唱用マイクロフォン。
【請求項２】
前記信号プロセッサ装置が音響信号処理装置を有することを特徴とする請求項１に記載の歌唱用マイクロフォン。
【請求項３】
前記音響信号処理装置が周波数／音声変調器を有することを特徴とする請求項２に記載の歌唱用マイクロフォン。
【請求項４】
前記音響信号処理装置がＡ／Ｄ変換器および電子回路を有することを特徴とする請求項２に記載の歌唱用マイクロフォン。
【請求項５】
前記音響信号処理装置が音響信号に対する処理アルゴリズムを記憶する記憶回路を有することを特徴とする請求項２に記載の歌唱用マイクロフォン。
【請求項６】
前記信号プロセッサがデータ記憶ユニットを収容する少なくとも１つのステーションを有することを特徴とする請求項１に記載の歌唱用マイクロフォン。
【請求項７】
前記信号プロセッサ装置が制御信号処理装置を有することを特徴とする請求項１に記載の歌唱用マイクロフォン。
【請求項８】
前記制御信号処理装置が当該マイクロフォンに含まれている音響処理装置の制御に関するデータの通信、処理および記憶のための回路を有することを特徴とする請求項７に記載の歌唱用マイクロフォン。
【請求項９】
前記制御信号処理装置が音響信号に対する処理アルゴリズムを記憶する記憶回路を有することを特徴とする請求項７に記載の歌唱用マイクロフォン。
【請求項１０】
前記信号プロセッサ装置が簡単な方法で交換可能なモジュールに収容され、好ましくは、前記マイクロフォンハウジングの後方部分として配置されることを特徴とする請求項１に記載の歌唱用マイクロフォン。
【請求項１１】
前記信号プロセッサ装置がアンテナを有する無線ユニットに迅速に結合するためのコネクタを有するモジュールに収容され、当該マイクロフォンをワイヤレスマイクロフォンとして使用するために前記コネクタに無線ユニットを容易に嵌め込むことができることを特徴とする請求項１に記載の歌唱用マイクロフォン。
【請求項１２】
前記無線ユニットまたは信号プロセッサ装置が様々な周波数で無線を動作させるためにプログラムされることができることを特徴とする請求項１１に記載の歌唱用マイクロフォン。
【請求項１３】
前記無線ユニットが双方向ユニットであり、該無線ユニットまたは信号プロセッサ装置が親機機能を有し、これにより、記憶され且つ要求された制御アルゴリズムまたはこのようなアルゴリズムの実行に関する命令を子機機能になっている別の同じような少なくとも１つのマイクロフォンに無線で送信することができることを特徴とする請求項１１に記載の歌唱用マイクロフォン。
【請求項１４】
前記無線ユニットが双方向無線ユニットであり、該無線ユニットまたは信号プロセッサ装置が子機機能を有し、これにより、制御アルゴリズムまたはこのようなアルゴリズムの実行に関する命令を親機機能を備えた同じようなマイクロフォンから無線で受信することができることを特徴とする請求項１１に記載の歌唱用マイクロフォン。
【発明の詳細な説明】
【技術分野】
【０００１】
本発明は、握り部を構成するマイクロフォンハウジングと、音源からの音を受ける前記マイクロフォンハウジングの前方部分の音響電気変換器と、該音響電気変換器からの音を表す信号（音響信号）をマイクロフォンから外部音響信号処理装置に転送する装置とを具備する歌唱用マイクロフォンにおいて、信号プロセッサ装置が前記マイクロフォンハウジング内または上に配置されていることを特徴とする歌唱用マイクロフォンに関する。
【背景技術】
【０００２】
特に補聴器に内蔵されたマイクロフォンに関し、さらに、携帯電話などでの内蔵マイクロフォンに関し、様々なアルゴリズムにより、様々な目的に対して、マイクロフォンが採取した音を表す音響信号を処理するために信号処理装置を同一のユニットに組み込むことが比較的よくみられる特徴である。例えば、補聴器では、増幅機能を内蔵することが明らかな特徴であり、また、ユーザの耳管に向けられた音を自然で心地よい音として感知できるようにするための巧妙な処理機能がこの他にも多数ある。
【０００３】
携帯電話に関しては、採取された音を表す音響信号について、部分的に極値計算作業を実行した後、「送信中」の処理された信号を転送する。この信号処理は、例えば、デジタル化、符号化、ノイズ消去、エコー消去などを具備してもよい。
【０００４】
英国特許出願公開第２２８８０５４号によれば、プロセッサ装置内蔵のワイヤレスの「カラオケ用マイクロフォン」が公知である。しかし、このプロセッサ装置は、伴奏をつけるためだけに内蔵されており、この公知のマイクロフォンは、マイクロフォンから伝達されるマイクロフォンの実際の音に関しては何もせず、歌声に「合わせて」音楽を付け加えるだけである。
【発明の開示】
【発明が解決しようとする課題】
【０００５】
例えば、ステージ上のアーティストにより音楽用途または電力増幅器用途に使用されるマイクロフォンの形式は、例えば、使用中のマイクロフォンから離れている増幅器／電力増幅装置全体の主制御を構成する部分に接続された音響処理装置を使用することが、このような用途に対しては最も自然であると考えられていたので、現在まで比較的単純な特徴を有してきた。確かに、ここ数年間、いわゆるワイヤレスマイクロフォンが内蔵型無線発信装置を有することが比較的標準であったが、この無線発信装置は、無線発信に対処する信号処理をする形式のものに限られてきた。本明細書では、信号処理とは、音を表す信号に及ぼす影響、すなわち、例えば、ノイズまたはエコーの消去、周波数の均等化／影響、例えば、特殊ひずみプログラムなどの特殊効果の付加を意味することとする。
【０００６】
アーティストが音の再生に関して、標準の歌唱用マイクロフォンよりも良好な制御ができるものを要求することがよくある。「個人用」マイクロフォンが音響管理および音響制御のためのオプションを内蔵し、可能であれば、アーティスト自身が完全に制御できる特殊効果も有することがこの他の要求を代表すると思われる。
【課題を解決するための手段】
【０００７】
本発明は、このような要求を満たすことを目的とし、このため、冒頭に定義したような歌唱用マイクロフォンが本発明により提供され、本発明によるこの歌唱用マイクロフォンは、信号プロセッサ装置がマイクロフォンハウジング内または上に配置されていることを特徴とする。
【０００８】
好ましい実施例では、信号プロセッサ装置は、音響信号処理装置を有する。音響信号処理装置は、周波数／音声変調器を具備してもよく、また、Ａ／Ｄ変換器およびデジタル回路を具備してもよい。さらに、音響信号処理装置は、音響信号に対する処理アルゴリズムを記憶する記憶回路を具備してもよい。
【０００９】
実施例の１つでは、信号プロセッサ装置は、データ記憶ユニットを収容する少なくとも１つのステーションを具備してもよい。
【００１０】
他の好ましい実施例では、信号プロセッサ装置は制御信号処理装置を含む。この制御信号処理装置は、マイクロフォンに収容された音響処理装置の制御に関するデータの通信、処理および記憶のための回路を具備してもよい。さらに、制御信号処理装置は、音響信号に対する処理アルゴリズムを好ましくはデジタル形式で記憶するための記憶回路を具備してもよい。
以下、例示的な実施形態について説明することによって本発明を示し、これに合わせて、図面を参照する。
【発明を実施するための最良の形態】
【００１１】
図１には、増幅器やそれと同様の機器を具備する外部装置に音を表す信号を伝送するワイヤ２を備えた形式の手持ち式の歌唱用マイクロフォン１の下方部分が示されている。ワイヤ２は、アンテナ付の特殊な無線発信装置に置き換えてもよい。参照符号５はマイクロフォンハウジングを示し、参照符号９はマイクロフォンの下端に取り付けられたユニットを示し、このユニットは信号プロセッサ装置を収容する。また、図は、ユニット９が外部記憶カード３を挿入可能なスロット４を有することを示している。
【００１２】
図２には、「剥き出し」の状態、すなわち、マイクロフォンハウジング５が省略された状態での類似のマイクロフォンが示されている。このため、この図では、前面グリルまたはマイクロフォン上端６と、音圧を拾ってそれを電気信号に変換するためにマイクロフォン上端の下側に配置された音響変換装置と、構造を支持するステー１０と、本発明では特に重要ではないが同一出願人から共同出願されたノルウェー特許出願第２００１５９８２号に記載されたスリーブ８と、そして、最後に、信号プロセッサ装置を収容する下部ユニット９とが示されている。
【００１３】
図３は、下部ユニット９単体の拡大図であり、この下部ユニットは、マイクロフォンのこの他の構造物に適合し且つ回路装置用の室を構成する上端部１２と、記憶カード３を収容するスロット４を有する下部ソケット１１と、データプラグを収容するコネクタ開口１３とによって構成される。
【００１４】
ベースユニット９は、音響信号を直接処理する信号プロセッサ装置を具備してもよいが、さらに、上述したタイプの音響処理装置であってベースユニット９内に収容される音響処理装置を制御するための制御信号を処理する信号プロセッサ装置を具備してもよい。
【００１５】
このように、ベースユニット９は、マイクロプロセッサ、好ましくは、プログラム可能なマイクロプロセッサを収容する。このマイクロプロセッサは、できるだけ操作ボタン(図示せず)を使用して選択することのできる特殊効果を得るために、事前にプログラムされたアルゴリズムを有してもよい。さらに、このマイクロプロセッサは、例えば、コネクタ１３により外部コンピュータに接続されることでプログラムの対象になるというようにプログラム可能であってもよい。この他には、ベースユニット９内部の回路は、音響信号に対する処理アルゴリズムを記憶する記憶回路を有していてもよく、また、例えば、アーティストの歌った歌を記憶装置に記憶させる可能性もある。また、スリット４に入れられた挿入可能な記憶カード３にデータを記憶することもできる。
【００１６】
記憶可能な特別な効果としては、例えば、歪んだ音声を提供する周波数変調器または音声変調器があり、エコー効果はもちろん可能であり、困難な状況でのアーティストの音声を調整するために音声および周波数の補正をプログラムすることさえ可能であろう。「よく似ている」機能、すなわち、特定の音声タイプを模倣するためのアルゴリズムでさえもプログラムできる。また、普通の「同等化」、すなわち、特定の周波数領域に増幅または減衰によって影響を与えることも当然可能であり、極めて狭い周波数領域に対して実施される極めて精密な同等化でさえも可能である。
【００１７】
音響信号処理装置は、デジタルプロセッサ技術に基づくものであることが好ましく、このことは、音響変換器７によって送信されたアナログ音声を表す信号を変換する装置内にＡＤ変換器が収容されていなければならないことを意味する。原則として、話題の機能をアナログ方式で実行することに問題はないが、デジタル回路およびデジタル信号処理に関する本技術が開発され、本技術が好ましいと言える程度にまで小型化された。しかしながら、正常なアナログ方式の外部装置に返信する「かけ橋」を提供するために、デジタル信号からアナログ信号への信号処理の後の逆変換のための内蔵型ＤＡ変換器を簡単に収容できるようなのものがあってもよい。
【００１８】
ベース部分９全体は交換可能であり、このようなベース部分９のセットがマイクロフォンキットに収容されていてもよい。これにより、ＰＣからコネクタ開口１３を介して、あらゆるベース部分を事前にプログラムしてもよい。可能であれば、上述したように、例えば、「スマートディスク」タイプの記憶カード３がデータ記憶のためのオプションとしてさらに提供されてもよい。
【００１９】
したがって、プログラム可能なパラメータに関する設定によって、例えば、呼吸のノイズおよび望まない音のピークを消去してもよく、望ましいハーモニーまたは特殊な音声の特徴を強調してもよい。周波数応答およびｄＢ応答が調整できる。ＰＣとの通信が簡単にでき、個人的な設定のための記憶容量も備わっている。
【００２０】
図４は、マイクロフォンがワイヤレス形式のものである実施例を示す。図中に図２に関して説明した通りの構成要素が残っているが、底端部には、アンテナ１５付き無線ユニット１４が示されている。無線ユニット１４は、ベースモジュール９内に上向きに簡単で且つ迅速に嵌められるようになっており、このベースモジュールはプロセッサ装置を収容する。
【００２１】
図５は、ベースモジュール９の下側の対応するコネクタ開口に固定的にではあるが取外し可能に嵌め込むためのプラグ１６のコンタクトピン１７を見やすくするための無線ユニット１４の拡大図である。データ／信号通信がモジュール９のプロセッサ装置とデジタル形式またはアナログ形式の無線信号を送信するための無線ユニット１４との間に確立される。無線ユニットに様々な形式の信号処理のためのマイクロプロセッサをさらに収容するかについては言及しない。
【００２２】
起点として、無線ユニット１４は、音を表す無線信号、および、可能であれば、特定の制御信号の外部装置への送信に適応する。この形式の無線送信に許容された周波数領域内の多数の異なる周波数での無線操作に対して、ベースモジュールまたは無線ユニットのプロセッサの回路をプログラムするオプションがある。例えば、ＰＣからの事前プログラミングによって、または、現場でベースモジュール９に記憶カード３を挿入することによって変更が加えられる。
【００２３】
本発明のマイクロフォンの改善された実施例では、本発明は、複数のこのようなマイクロフォン間の内部通信ネットワークに使用できる。このため、この場合、無線ユニット１４は、送信と受信両方の機能を有する。技術的に、このネットワークは簡単な方法で実行可能であり、このため、例えば、マイクロフォンの１つを「親機」マイクロフォンとし、他のマイクロフォンを「子機」にできる。このため、子機に対して有効であることを要求されたアルゴリズムまたはコマンドを、例えば、特殊な記憶カードをベースモジュールに挿入するか、特殊な操作スイッチが設けられた親機マイクロフォンを装備することによって、親機マイクロフォンから送信可能である。とりわけノイズを回避するために、例えば、マイクロフォンの幾つかが一定の期間何も送信していないことを確認することに関心を払うか、幾つかの使用中のマイクロフォンの何らかのプログラム可能な特性を変更することに関心を払ってもよい。このため、このようなマイクロフォンを有するリーダーが複数のマイクロフォンの特性を制御できる。演奏中にこのような変更を実施することになっている特性の多くが、それぞれのマイクロフォンで事前にプログラムすることができるので、信号の発信をきわめて単純にできる。
【００２４】
最後に、本発明は、完成したマイクロフォンに関する幾つかの発明の１つであることを明記しておかなければならない。この幾つかの発明は、全て、共同出願された特許出願の主題に基づいてなされた。本発明は、「換気装置を設けたマイクロフォン」に関するノルウェー特許出願第２００１５９８２号、「測距を設けたマイクロフォン」に関するするノルウェー特許出願第２００１５９８５号、「交換可能な身元詳細を有する歌唱用マイクロフォン」に関するノルウェー特許出願第２００１５９８４号に言及する。共同出願された出願が説明に適した特徴または本発明の全ての特徴を示す程度まで、このような出願を参照により本明細書中に引用する。
【図面の簡単な説明】
【００２５】
【図１】標準の手持ち式であるが、その下端に信号プロセッサ装置が設けられた歌唱用マイクロフォンの下部を示す。
【図２】信号プロセッサ装置が設けられた下方部分を有する本発明の一実施例のマイクロフォンの内部部品を示す。
【図３】信号プロセッサ装置を具備する本発明の一実施例のマイクロフォンのベース部分を示す。
【図４】ワイヤレス式のマイクロフォンであること以外図２と同一であるマイクロフォンの内部部品を示す。
【図５】図４に含まれた無線ユニットの拡大図を示す。
【図１】
2005513977.tif 000003
【図２】
2005513977.tif 000004
【図３】
2005513977.tif 000005
【図４】
2005513977.tif 000006
【図５】
2005513977.tif 000007
【国際調査報告】
2005513977.tif 000008
2005513977.tif 000009
2005513977.tif 000010